(57)【要約】【課題】  簡単な操作でユーザが携帯端末によって情報を取得することの可能な，既存の設備を利用した情報提供システムを提供する。【解決手段】  携帯端末２０１が備えるＩＣチップとの間で無線通信を行う情報提供装置１０１に，外部装置から取得したコンテンツを，コンテンツのデータ中に埋め込まれている画面出力制御情報に基づいてコンテンツを画面に出力するブラウザと，携帯端末のＩＣチップとの間で無線通信を行うリーダ／ライタ１１１とを設け，コンテンツのデータにさらに，携帯端末に送信する情報である送信対象情報と携帯端末への送信対象情報の送信を指示する送信制御情報を埋め込み，ブラウザは，コンテンツに埋め込まれている送信制御情報に基づいて，送信対象情報をリーダ／ライタを介して無線通信により携帯端末へ送信するようにした。【選択図】    図１
2006085669.tif 000002
【特許請求の範囲】
【請求項１】
ＩＣチップを備えた携帯端末と，前記携帯端末が備える前記ＩＣチップとの間で無線通信を行う情報提供装置と，を備える情報提供システムであって：
前記情報提供装置は，
外部装置からネットワークを介して送信されるコンテンツを読み込んだ後，前記コンテンツのデータ中に埋め込まれ，かつ前記コンテンツが画面に出力される際のフォーマットまたは前記コンテンツのデータ構造を少なくとも規定する画面出力制御情報に基づいて前記コンテンツを画面に出力するブラウザと；
前記携帯端末が備える前記ＩＣチップとの間で無線通信を行う無線通信部と；を備え，
前記コンテンツのデータにはさらに，前記携帯端末に送信する情報である送信対象情報，および前記携帯端末への前記送信対象情報の送信を指示する送信制御情報が埋め込まれ；
前記ブラウザは，読み込んだ前記コンテンツに埋め込まれている前記送信制御情報に基づいて，前記送信対象情報を前記携帯端末へ送信するように前記無線通信部に指示し；
前記無線通信部は，前記ブラウザからの指示に基づいて前記送信対象情報を前記携帯端末が備える前記ＩＣチップに無線通信によって送信する；
ことを特徴とする情報提供システム。
【請求項２】
前記携帯端末は，前記無線通信部から前記ＩＣチップに送信された前記送信対象情報を，前記携帯端末が備える表示画面に表示することを特徴とする，請求項１に記載の情報提供システム。
【請求項３】
携帯端末が備えるＩＣチップとの間で無線通信を行う情報提供装置であって：
外部装置からネットワークを介して送信されるコンテンツを読み込んだ後，前記コンテンツのデータ中に埋め込まれ，かつ前記コンテンツが画面に出力される際のフォーマットまたは前記コンテンツのデータ構造を少なくとも規定する画面出力制御情報に基づいて前記コンテンツを画面に出力するブラウザと；
前記携帯端末が備える前記ＩＣチップとの間で無線通信を行う無線通信部と；を備え，
前記コンテンツのデータにはさらに，前記携帯端末に送信する情報である送信対象情報，および前記携帯端末への前記送信対象情報の送信を指示する送信制御情報が埋め込まれ；
前記ブラウザは，読み込んだ前記コンテンツに埋め込まれている前記送信制御情報に基づいて，前記送信対象情報を前記携帯端末へ送信するように前記無線通信部に指示し；
前記無線通信部は，前記ブラウザからの指示に基づいて前記送信対象情報を前記携帯端末が備える前記ＩＣチップに無線通信によって送信する；
ことを特徴とする情報提供装置。
【請求項４】
前記コンテンツのデータにはさらに，前記送信対象情報に対応し，前記送信対象情報の種別を示す種別情報が埋め込まれ，
前記ブラウザは，前記無線通信部に対して前記送信対象情報とともに該送信対象情報に対応する前記種別情報を前記携帯端末に送信するよう指示することを特徴とする，請求項３に記載の情報提供装置。
【請求項５】
前記コンテンツは，マークアップ言語で記述されたＷｅｂページであり，前記画面出力制御情報および前記送信制御情報は，タグで識別される情報であることを特徴とする，請求項３に記載の情報提供装置。
【請求項６】
携帯端末が備えるＩＣチップとの間で無線通信を行う無線通信部を備える情報提供装置の記憶部に記憶され，外部装置からのネットワークを介して送信されたコンテンツの読み込み処理，および，前記コンテンツのデータ中に埋め込まれ，かつ前記コンテンツが画面に出力される際のフォーマットまたは前記コンテンツのデータ構造を少なくとも規定する画面出力制御情報に基づいて前記コンテンツを画面に出力する出力処理を実行するコンピュータプログラムであって：
前記コンテンツにさらに含まれる，前記携帯端末に送信する情報である送信対象情報，および前記携帯端末への前記送信対象情報の送信を指示する送信制御情報を読み込み，前記送信制御情報に基づいて，前記送信対象情報を前記携帯端末に送信するように前記無線通信部に指示する処理をさらに実行することを特徴とするコンピュータプログラム。
【請求項７】
前記コンテンツのデータにはさらに，前記送信対象情報に対応し，前記送信対象情報の種別を示す種別情報が埋め込まれ，
前記送信対象情報とともに前記対応する種別情報を送信するように前記無線通信部に指示する処理を実行することを特徴とする，請求項６に記載のコンピュータプログラム。
【請求項８】
ＩＣチップを備えた携帯端末と，前記携帯端末が備えるＩＣチップとの間で無線通信を行う情報提供装置と，を用いて実現される情報提供方法であって：
前記情報提供装置が，
外部装置からネットワークを介して送信されるコンテンツを読み込むステップと；
読み込んだ前記コンテンツに埋め込まれている，前記携帯端末に送信する情報である送信対象情報，および前記携帯端末への前記送信対象情報の送信を指示する送信制御情報を解析するステップと；
前記送信制御情報に基づいて，前記携帯端末が備える前記ＩＣチップに無線通信によって前記送信対象情報を送信するステップと；
を含むことを特徴とする情報提供方法。
【請求項９】
前記外部装置が，前記情報提供装置に提供する前記コンテンツに前記送信制御情報および前記送信対象情報を埋め込むステップをさらに含むことを特徴とする，請求項８に記載の情報提供方法。
【請求項１０】
情報提供装置との間で無線通信を行うＩＣチップを備える携帯端末であって：
前記ＩＣチップは前記情報提供装置から送信対象情報を受信し，
前記ＩＣチップが受信した前記送信対象情報を出力するコントローラを備えることを特徴とする携帯端末。
【請求項１１】
前記ＩＣチップは，前記送信対象情報に対応し，前記送信対象情報の種別を示す種別情報を前記情報提供装置から受信し，
前記コントローラは，前記種別情報に基づいて，該種別情報に対応する画像を表示画面に表示させることを特徴とする，請求項１０に記載の携帯端末。
【請求項１２】
前記画像を前記種別情報と関連付けて記憶する画像記憶部と；
前記ＩＣチップにより受信された前記種別情報に関連付けられている前記画像を前記画像記憶部から取得する判断部と；
を備えることを特徴とする，請求項１１に記載の携帯端末。
【請求項１３】
前記画像を記憶する画像記憶部と；
前記画像記憶部に記憶されている前記画像と前記種別情報とを関連付けて記憶する画像定義記憶部と；
前記画像定義記憶部の記憶内容に基づいて，前記ＩＣチップにより受信された前記種別情報に関連付けられている前記画像を前記画像記憶部から取得する判断部と；
を備えることを特徴とする，請求項１１に記載の携帯端末。
【請求項１４】
前記送信対象情報は，前記情報提供装置に備えられるブラウザの指示により，前記情報提供装置に備えられる無線通信部から前記ＩＣチップに送信され，
前記ブラウザは，外部装置からネットワークを介して送信されるコンテンツを読み込んだ後，前記コンテンツのデータ中に埋め込まれ，かつ前記コンテンツが画面に出力される際のフォーマットまたは前記コンテンツのデータ構造を少なくとも規定する画面出力制御情報に基づいて前記コンテンツを画面に出力し，前記コンテンツのデータにさらに埋め込まれている送信制御情報に基づいて該コンテンツのデータに埋め込まれている前記送信対象情報を前記ＩＣチップに送信するように前記無線通信部に指示する，
ことを特徴とする，請求項１０に記載の携帯端末。
【請求項１５】
情報提供装置との間で無線通信を行うＩＣチップを備える携帯端末をして，
前記ＩＣチップによって前記情報提供装置から無線通信で受信された送信対象情報を出力する処理を実行せしめることを特徴とするコンピュータプログラム。
【請求項１６】
情報提供装置との間で無線通信を行うＩＣチップを備える携帯端末が情報を出力する方法であって：
前記情報提供装置から前記ＩＣチップによって無線通信で送信対象情報，および前記送信対象情報の種別を示す種別情報を受信するステップと；
前記送信対象情報，および前記種別情報に対応する画像を表示画面に表示させるステップと；
を含むことを特徴とする情報出力方法。
【発明の詳細な説明】
【技術分野】
【０００１】
本発明は，情報提供システム，情報提供装置，情報提供方法，携帯端末，情報出力方法，およびコンピュータプログラムに関する。
【背景技術】
【０００２】
従来，携帯電話や携帯可能なモバイルコンピュータ等の携帯端末において，インターネットへの接続およびＷｅｂページの表示などを行うことが可能になっている。ユーザは，そのような携帯端末を利用して所望の情報を取得できる。
【０００３】
ユーザが上記携帯端末を利用してインターネットに接続し，所望の情報を取得するためには，ＵＲＬを指定する必要がある。しかし，一般的に小さいボタン等の入力装置しか備えていない携帯端末で長いＵＲＬを入力するのは面倒である。そこで，情報提供者は，ユーザに自己が提供する情報を入手してもらうべく，携帯端末を利用した簡単な操作でユーザが情報を取得できるシステムを提供している。例えば，ユーザにＵＲＬの代わりにコードを入力させたり，携帯端末が備えるカメラで二次元バーコードを読み取らせることによってユーザの所望の情報を提供できるシステムなどが提供されている。
【０００４】
例えば，特許文献１に記載の情報処理システムによれば，ユーザはまず所定のアクセスコードを携帯電話機に入力してコード入力画面を表示させる。その後，Ｗｅｂページやポスターなどの広告媒体に掲載されている，商品を識別するためのコードをコード入力画面に入力することによって，そのコードと予め関連付けられている商品の情報をサーバから取得することができる。
【０００５】
【特許文献１】特開２００２−２５９２４８号公報
【発明の開示】
【発明が解決しようとする課題】
【０００６】
しかし，上記システムによっても，ユーザはアクセスコードおよび商品識別コードを携帯電話機に入力する必要がある。また，情報提供者側は，上記システムを実現するためには，ユーザの携帯電話機から送信された商品識別コードに基づいて蓄積されている商品情報を検索するプログラムを別途開発し，既存のサーバに組み込む必要がある。
【０００７】
インターネットが普及し，膨大な情報の中から取得する情報をユーザが選択できる状況の中で，情報提供者が自己が提供する情報を取得することをユーザに選択させるためには，さらに簡単な操作でユーザが情報を入手できるシステムの開発が求められる。
【０００８】
そのようなシステムにおいて，装置の導入など新たな設備の整備が情報提供者やユーザに必要になるとすると時間やコストの面から実現は難しいため，既存の設備を利用して上記システムを実現することが望まれる。例えば，大多数の情報提供者が情報の提供のために活用しているＷｅｂページから，一般に広く普及しユーザがＷｅｂページの閲覧に用いているブラウザを利用して，ユーザの携帯端末に簡単な操作で情報を提供することができれば，情報提供者およびユーザにとってより望ましい。
【０００９】
そこで，本発明は，このような問題に鑑みてなされたもので，その目的とするところは，より簡単な操作でユーザが携帯端末によって情報を取得することの可能な，既存の設備を利用した情報提供システム，情報提供装置，情報提供方法およびコンピュータプログラムを提供することにある。
【課題を解決するための手段】
【００１０】
上記課題を解決するために，本発明のある観点によれば，ＩＣチップを備えた携帯端末と，携帯端末が備えるＩＣチップとの間で無線通信を行う情報提供装置と，を備える情報提供システムが提供される。
【００１１】
上記情報提供装置は，外部装置からネットワークを介して送信されるコンテンツを読み込んだ後，コンテンツのデータ中に埋め込まれ，かつコンテンツが画面に出力される際のフォーマットまたはコンテンツのデータ構造を少なくとも規定する画面出力制御情報に基づいてコンテンツを画面に出力するブラウザと，上記携帯端末が備えるＩＣチップとの間で無線通信を行う無線通信部とを備える。
【００１２】
上記コンテンツのデータにはさらに，携帯端末に送信する情報である送信対象情報，および携帯端末への送信対象情報の送信を指示する送信制御情報が埋め込まれ，上記ブラウザは，読み込んだコンテンツに埋め込まれている送信制御情報に基づいて，送信対象情報を携帯端末へ送信するように無線通信部に指示し，上記無線通信部は，ブラウザからの指示に基づいて送信対象情報を携帯端末が備えるＩＣチップに無線通信によって送信することを特徴とする。
【００１３】
上記構成によれば，情報提供装置が備えるブラウザが，外部装置から送信されたコンテンツを読み込み，コンテンツのデータ中に埋め込まれている画面出力制御情報に基づいてそのコンテンツを画面に出力する。さらにブラウザは，そのコンテンツのデータ中に埋め込まれている送信制御情報に基づいて，同じくコンテンツのデータ中に埋め込まれている送信対象情報を携帯端末が備えるＩＣチップに送信するように無線通信部に指示する。無線通信部は，ブラウザからの指示に基づき，無線通信可能な範囲内にあるＩＣチップに対して，送信対象情報を送信する。なお，無線通信部とＩＣチップとの間の通信は非接触式で行われるが，非接触式でとは，上記ＩＣチップと無線通信部とが接触していない，もしくは物理的に接触していても電気的に接触しておらず電気的な導通が無い状態であることをいう。
【００１４】
画面出力制御情報には，例えば，コンテンツが画面に出力される際のフォーマットとして，コンテンツに含まれる文字のサイズや色を規定する情報，コンテンツの一部として画面に出力される画像の所在を示す情報，ハイパーリンクであることを示す情報などが含まれる。また，コンテンツのデータ構造として，ヘッダ部および本体部の開始位置と終了位置を示す情報などが含まれる。ブラウザは，コンテンツに埋め込まれているデータ構造を規定する画面出力制御情報に基づいて，ヘッダ部に含まれているデータを画面のタイトルバーに表示し，本体部に含まれているデータを本文として画面に表示する。また，フォーマットを規定する画面出力制御情報に基づいて，規定された色やサイズで文字を表示し，所在情報に基づいて画像を取得して表示し，ハイパーリンクであることが分かるように表示する。
【００１５】
上記発明によれば，画面出力制御情報に基づいてコンテンツの出力処理を行うブラウザが，画面出力制御情報と同様にコンテンツのデータ中に埋め込まれている送信制御情報に基づいた送信対象情報の送信指示を無線通信部に行うことができる。従って，情報提供者は，自己が提供するコンテンツに上記送信制御情報および送信対象情報を埋め込むだけで，そのコンテンツを介して，無線通信可能なユーザの携帯端末に送信対象情報を提供することができる。また，ユーザは，上記ブラウザを備える情報提供装置でコンテンツを閲覧し，ＩＣチップを備える携帯端末を情報提供装置の無線通信部に翳すなどして無線通信可能な範囲に移動させるだけで，閲覧コンテンツに埋め込まれている送信対象情報を取得できる。
【００１６】
上記情報提供システムにおいて，上記携帯端末は，無線通信部からＩＣチップに送信された送信対象情報を，携帯端末が備える表示画面に表示するように構成されてもよい。携帯端末は，送信対象情報を，そのまま表示画面に表示してもよいし，加工，編集を施した後に表示してもよい。例えば，送信対象情報としてＵＲＬをＩＣチップが受信した場合には，携帯端末は，そのＵＲＬをそのまま表示画面に表示してもよいし，ＩＣチップが受信した送信対象情報を解析等することによってＵＲＬであると判断し，携帯端末が備えるブラウザを起動させてインターネットに接続し，そのＵＲＬによって示されるＷｅｂページを取得して表示画面に表示してもよい。かかる構成によれば，ユーザが携帯端末を情報提供装置の無線通信部に翳すだけで，情報提供装置に表示されているコンテンツに埋め込まれている送信対象情報が携帯端末の表示画面に表示される。なお，携帯端末は，送信対象情報を表示画面に表示する前や，送信対象情報を加工，編集する前，編集した情報を表示画面に表示する前などに，ユーザに表示等の可否を確認する確認メッセージ等を表示し，ユーザの確認を促すように構成されてもよい。かかる構成によれば，ユーザが表示を望まない情報の表示画面への表示や，ユーザが取得を望まないＷｅｂページの取得を回避できる。
【００１７】
上記課題を解決するために，本発明の別の観点によれば，携帯端末が備えるＩＣチップとの間で無線通信を行う情報提供装置が提供される。情報提供装置は，外部装置からネットワークを介して送信されるコンテンツを読み込んだ後，コンテンツのデータ中に埋め込まれ，かつコンテンツが画面に出力される際のフォーマットまたはコンテンツのデータ構造を少なくとも規定する画面出力制御情報に基づいてコンテンツを画面に出力するブラウザと，上記携帯端末が備えるＩＣチップとの間で無線通信を行う無線通信部を備える。上記コンテンツのデータにはさらに，携帯端末に送信する情報である送信対象情報，および携帯端末への送信対象情報の送信を指示する送信制御情報が埋め込まれ，上記ブラウザは，読み込んだコンテンツに埋め込まれている送信制御情報に基づいて，送信対象情報を携帯端末へ送信するように無線通信部に指示し，上記無線通信部は，ブラウザからの指示に基づいて送信対象情報を携帯端末が備えるＩＣチップに無線通信によって送信することを特徴とする。
【００１８】
上記コンテンツには，送信対象情報に対応し，送信対象情報の種別を示す種別情報が含まれ，上記ブラウザは，無線通信部に対して送信対象情報とともに該送信対象情報に対応する種別情報を携帯端末に送信するよう指示するように構成されてもよい。送信対象情報の種別を示す種別情報とは，例えば，送信対象情報がＵＲＬであるのか，単なるテキストであるのかなど，送信対象情報がどのような情報であるのかがわかる情報である。かかる構成によれば，携帯端末に，送信対象情報とともに対応する種別情報も送信できる。そのため，携帯端末は，ＩＣチップが受信した送信対象情報を解析しなくても，種別情報を参照することによって送信対象情報の種類が分かる。従って，例えば送信対象情報がＵＲＬである場合には，携帯端末は種別情報を参照してＵＲＬであることを認識し，携帯端末が備えるブラウザを起動させてＷｅｂページを表示することができる。また，種別情報には，送信対象情報の内容の種別を特定する情報が含まれていても良い。送信対象情報の内容とは，送信対象情報が携帯端末で出力されることによりユーザが得られる情報である。
【００１９】
上記コンテンツは，マークアップ言語で記述されたＷｅｂページであり，画面出力制御情報および送信制御情報は，タグで識別される情報であってもよい。
【００２０】
また，コンピュータをして上記情報提供装置として機能せしめるコンピュータプログラムが提供される。
【００２１】
上記課題を解決するために，本発明の別の観点によれば，ＩＣチップを備えた携帯端末と，携帯端末が備えるＩＣチップとの間で無線通信を行う情報提供装置と，を用いて実現される情報提供方法が提供される。情報提供方法は，情報提供装置が，外部装置からネットワークを介して送信されるコンテンツを読み込むステップと，読み込んだコンテンツに埋め込まれている，携帯端末に送信する情報である送信対象情報，および携帯端末への送信対象情報の送信を指示する送信制御情報を解析するステップと，送信制御情報に基づいて，携帯端末が備えるＩＣチップに無線通信によって送信対象情報を送信するステップとを含む。
【００２２】
上記情報提供方法は，外部装置が，情報提供装置に提供するコンテンツに送信制御情報および送信対象情報を埋め込むステップをさらに含んでいてもよい。
【００２３】
上記課題を解決するために，本発明の別の観点によれば，情報提供装置との間で無線通信を行うＩＣチップを備える携帯端末が提供される。本携帯端末のＩＣチップは情報提供装置から送信対象情報を受信する。また，本携帯端末は，上記ＩＣチップが受信した送信対象情報を出力するコントローラを備える。
【００２４】
上記発明によれば，携帯端末は，ＩＣチップが無線通信で受信した送信対象情報を出力する。そのため，ユーザが携帯端末を情報提供装置と無線通信可能な範囲に移動させるだけで，携帯端末は情報提供装置から送信対象情報を取得して出力する。従って，ユーザは携帯端末を情報提供装置と無線通信可能な範囲に移動させるだけで，情報を得ることができる。
【００２５】
上記ＩＣチップは，送信対象情報に対応し，送信対象情報の種別を示す種別情報を情報提供装置から受信し，上記コントローラは，種別情報に基づいて，該種別情報に対応する画像を表示画面に表示させてもよい。かかる構成によれば，画像を表示することによって携帯端末はよりユーザフレンドリーな形態で情報を出力できる。また，情報提供装置から受信する種別情報が，送信対象情報の内容の種別を特定する種別情報であれば，その種別情報に対応する画像が表示されることで，ユーザは送信対象情報の内容を，表示された画像によって推測することができる。なお，コントローラが表示画面に表示させる画像は，携帯端末が保有していてもよいし，携帯端末と通信接続が可能な外部のコンピュータが保有していてもよい。
【００２６】
上記携帯端末は，画像を種別情報と関連付けて記憶する画像記憶部と，ＩＣチップにより受信された種別情報に関連付けられている画像を画像記憶部から取得する判断部と，を備えてもよい。
【００２７】
上記携帯端末は，画像を記憶する画像記憶部と，画像記憶部に記憶されている画像と種別情報とを関連付けて記憶する画像定義記憶部と，画像定義記憶部の記憶内容に基づいて，ＩＣチップにより受信された種別情報に関連付けられている画像を画像記憶部から取得する判断部と，を備えてもよい。かかる構成によれば，画像定義記憶部の記憶内容を変更することにより，種別情報と画像記憶部との関連付けを変更することができる。
【００２８】
上記送信対象情報は，情報提供装置に備えられるブラウザの指示により，情報提供装置に備えられる無線通信部からＩＣチップに送信され，ブラウザは，外部装置からネットワークを介して送信されるコンテンツを読み込んだ後，コンテンツのデータ中に埋め込まれ，かつコンテンツが画面に出力される際のフォーマットまたはコンテンツのデータ構造を少なくとも規定する画面出力制御情報に基づいてコンテンツを画面に出力し，コンテンツのデータにさらに埋め込まれている送信制御情報に基づいて該コンテンツのデータに埋め込まれている送信対象情報をＩＣチップに送信するように無線通信部に指示するように構成されてもよい。かかる構成によれば，携帯端末は，情報提供装置が備えるブラウザによって表示されるコンテンツに埋め込まれている送信対象情報を，無線通信により取得できる。そのため，ユーザは，送信対象情報が埋め込まれているコンテンツが表示されている情報提供装置と無線通信可能な範囲に携帯端末を移動させるだけで，コンテンツに含まれている情報を得ることができる。
【００２９】
上記課題を解決するために，本発明の別の観点によれば，コンピュータに上記携帯端末として機能させるための処理を実行させるコンピュータプログラムが提供される。
【００３０】
上記課題を解決するために，本発明の別の観点によれば，上記携帯端末によって行われる情報出力方法が提供される。
【発明の効果】
【００３１】
以上説明したように本発明によれば，より簡単な操作でユーザが携帯端末によって情報を取得することの可能な，既存の設備を利用した情報提供システム，情報提供装置，情報提供方法，携帯端末，情報出力方法およびコンピュータプログラムを提供できるものである。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
（第１実施形態）
まず，図１に基づいて，本発明の第１実施形態にかかる情報提供システム１００の全体構成について説明する。情報提供システム１００は，例えば，Ｗｅｂサーバ３０１と，情報提供装置１０１ａ，１０１ｂ，…１０１ｎ（以下，単に情報提供装置１０１と称する。）と，携帯端末２０１ａ，２０１ｂ，…２０１ｎ（以下，単に携帯端末２０１と称する。）と，ネットワーク１０３などを備える。
【００３４】
Ｗｅｂサーバ３０１は，コンテンツの一例であるＷｅｂページを保有しており，情報提供装置１０１からの取得要求に応じてネットワーク１０３を介して情報提供装置にＷｅｂページを送信する。なお，情報提供システム１００には，複数のＷｅｂサーバ３０１が含まれていても良い。本実施形態においてコンテンツホルダと称する情報提供者は，ユーザへの情報の提供にＷｅｂページを活用しており，自己が提供したい情報をＷｅｂページに含ませることによってネットワーク１０３，情報提供装置１０１を介してユーザに情報を提供する。さらに，コンテンツホルダは，特にユーザが所有する携帯端末２０１に提供したい情報を，送信対象情報としてＷｅｂページのデータ中に埋め込み，情報提供装置１０１にその送信対象情報を携帯端末に送信させるために送信制御情報をＷｅｂページのデータ中に埋め込む。
【００３５】
本実施形態において，Ｗｅｂページは，ＨＴＭＬで記述されており，送信制御情報および後述の画面出力制御情報はタグで識別される。なお，Ｗｅｂページのデータ中に埋め込まれている画面出力制御情報および送信制御情報，送信対象情報などは，具体的には，Ｗｅｂページの基本となるＨＴＭＬファイル中に，ＩＣチップの操作のために拡張されたＨＴＭＬ言語で記述されたものである。
【００３６】
情報提供装置１０１は，Ｗｅｂサーバ３０１からＷｅｂページを取得して表示画面に表示する。また，Ｗｅｂページに埋め込まれている送信制御情報に基づいて送信対象情報をリーダ／ライタ１１１ａを介して携帯端末２０１に送信する。情報提供装置１０１としては，ＰＣ（Ｐｅｒｓｏｎａｌ  Ｃｏｍｐｕｔｅｒ），Ｗｅｂページを表示可能なテレビ，ゲーム機器などを例示できる。
【００３７】
具体的には，情報提供装置１０１が備えるブラウザ１２０が，Ｗｅｂサーバ３０１から送信されたＷｅｂページを読み込む。そしてブラウザ１２０は，Ｗｅｂページに埋め込まれ，かつＷｅｂページが画面に出力される際のフォーマットまたはＷｅｂページのデータ構造などを規定する画面出力制御情報に基づいて，Ｗｅｂページを表示画面に表示させる。
【００３８】
さらにブラウザ１２０は，Ｗｅｂページに埋め込まれている送信制御情報に基づいて，同様にＷｅｂページに埋め込まれている送信対象情報を携帯端末２０１が備える非接触型ＩＣチップ２０２に送信するようにリーダ／ライタ１１１に指示する。
【００３９】
リーダ／ライタ１１１は，無線通信部の一例であり，ブラウザ１２０からの指示に基づいて，無線通信可能な範囲内に存在する非接触型ＩＣチップ２０２に送信対象情報を無線通信により送信する。なお，リーダ／ライタ１１１は，図示のように情報提供装置１０１に組み込まれ，情報提供装置１０１と一体的に構成されていてもよいし，独立した装置としてケーブルで情報提供装置１０１に接続されていてもよい。
【００４０】
携帯端末２０１は，無線通信可能な非接触型ＩＣチップ２０２を備え，情報提供装置１０１のリーダ／ライタ１１１と非接触型ＩＣチップ２０２との間で無線通信を行い，送信対象情報を受信する。その後，携帯端末２０１は，非接触型ＩＣチップ２０２が受信した送信対象情報を表示画面に表示する。携帯端末としては，携帯電話，ＰＤＡ（Ｐｅｒｓｏｎａｌ  Ｄｉｇｉｔａｌ  Ａｓｓｉｓｔａｎｔ），携帯用ゲーム機器，時計などを例示でき，非接触型ＩＣチップを備えていることを必要とする。なお，携帯端末２０１は，非接触型ＩＣチップを内蔵していてもよいし，非接触型ＩＣチップ搭載のＩＣカードを挿入可能なカードスロットなどを備え，カードスロットに挿入されたＩＣカードと情報提供装置１０１との間で無線通信が行われ，ＩＣカードが受信した送信対象情報を携帯端末１０１が利用できるように構成されていてもよい。
【００４１】
ネットワーク１０３は，上記Ｗｅｂサーバ３０１および情報提供装置１０１を双方向通信可能に接続する通信回線網である。このネットワーク１０３は，例えば，インターネット，電話回線網，衛星通信網等の公衆回線網や，ＷＡＮ，ＬＡＮ，ＩＰ−ＶＰＮ等の専用回線網などで構成されており，有線・無線を問わない。
【００４２】
以上，情報提供システム１００の全体構成について説明した。次に，図２に基づいて，本実施形態にかかる情報提供装置１０１の構成について説明する。
【００４３】
情報提供装置１０１は，例えば，ＣＰＵ１０２，メモリ１０４，入力部１０６，表示部１０８，通信部１１０，ハードディスク１１４，リーダ／ライタ１１１などを備える。ＣＰＵ１０２は，演算処理装置および制御装置として機能し，情報提供装置１０１内の各部の処理を制御する。後述するブラウザ１２０が行う処理も，ＣＰＵ１０２によって制御されている。また，メモリは，ＲＯＭおよびＲＡＭから構成され，ＣＰＵ１０２の処理に関する各種データ，ＣＰＵ１０２の動作プログラム等を一時的に記憶する機能を有する。
【００４４】
入力部１０６は，キーボードやマウス等の入力装置と，入力装置から入力されたデータを受け付けるインタフェース部から構成される。
【００４５】
表示部１０８は，ＣＲＴディスプレイや液晶ディスプレイ等の表示装置と，ＣＰＵ１０２からの命令によって表示装置にデータを表示させるインタフェース部から構成される。
【００４６】
通信部１１０は，例えば，通信回線，通信回路，通信デバイス等で構成された通信インタフェースである。この通信装置１１０は，Ｗｅｂサーバ３０１等の外部機器との間で，ネットワーク１０３を介して，Ｗｅｂページの取得要求，Ｗｅｂページのデータなどを送受信することができる。
【００４７】
ハードディスク１１４は，例えばフラッシュメモリ等で構成されたデータ格納用の装置であり，オペレーションシステム（ＯＳ）や各種アプリケーションプログラムなどの各種データを格納することができる。このハードディスク１１４は記憶部の一例であり，ハードディスク１１４には，後述するブラウザ１２０と，リーダ／ライタ用ドライバ１２４が格納される。なお，ブラウザ１２０やリーダ／ライタ用ドライバ１２４は，ハードディスクではなく，メモリ１０４に格納されてもよい。ＣＰＵ１０２は，ハードディスク１１４に格納されているアプリケーションプログラムの１つであるブラウザ１２０を必要に応じて呼び出し，ブラウザ１２０が行うＷｅｂページの表示処理およびＷｅｂページ中の送信対象コンテンツの送信指示処理などを制御する。
【００４８】
リーダ／ライタ１１１は，非接触型ＩＣチップ２０２との間で無線通信を行う。リーダ／ライタ１１１と非接触型ＩＣチップ２０２とは，主に，１０ｃｍ程度の狭い範囲内のみにおいて非接触式に通信を行うことができる，１３．５６ＭＨｚのＲＦ搬送波周波数と最大２１２Ｋｂｐｓの通信速度を有する近距離無線規格（ＮＦＣ：Ｎｅａｒ  Ｆｉｅｌｄ  Ｃｏｍｍｕｎｉｃａｔｉｏｎ）に沿って行われる。
【００４９】
ハードディスク１１４に格納されるリーダ／ライタ用ドライバ１２４は，リーダ／ライタ１１１をＣＰＵ１０２が制御するために必要なデバイスドライバである。
【００５０】
ハードディスク１１４に格納されるブラウザ１２０には，プラグイン１２２が含まれている。プラグイン１２２は，ブラウザ１２０に機能を追加するためのアプリケーションプログラムである。本実施形態において，Ｗｅｂページに埋め込まれている送信制御情報に基づいて送信対象情報を非接触型ＩＣチップ２０２に送信するようにリーダ／ライタ１１１に指示する処理は，プラグイン１２２として提供される。ブラウザ１２０は，画像出力制御情報に基づいてＷｅｂページを表示部１０８を介して表示装置に表示する処理を行うことができるが，上記プラグイン１２２をインストールされることによって，上述の送信制御情報に基づく処理を行うことができるようになる。
【００５１】
通信部１１０がＷｅｂサーバ３０１から取得したＷｅｂページは，メモリ１０４またはハードディスク１１４に格納される。ブラウザ１２０は，格納されたＷｅｂページを読み込み，Ｗｅｂページのデータ中にタグで識別される送信制御情報が埋め込まれている場合には，同様にＷｅｂページのデータ中に埋め込まれている送信対象情報を抽出する。ここで，図８を参照して，送信制御情報に基づくブラウザ１２０の処理を詳細に説明する。図８は，Ｗｅｂページのデータ中に埋め込まれた送信制御情報および送信対象情報の具体的な一例である。ブラウザ１２０は，Ｗｅｂページのデータ中に埋め込まれた送信制御情報を，例えば下記のように解析し，同様にＷｅｂページのデータ中に埋め込まれている送信対象情報をＩＣチップに送信するようにリーダ／ライタ１１１に指示する。
【００５２】
ブラウザ１２０は，ＩＤが“Ｆｅｌｉｃａ”である拡張タグを読み込んだ場合に，まず，“Ｆｅｌｉｃａ“拡張タグ内のコメント（＜！--から--＞まで）以外の部分を削除し，コメント内の部分をコメントの外に出す。この処理の後，ブラウザ１２０は他の画像出力制御情報に基づいて表示部１０８を介して表示装置にＷｅｂページを表示する。上記処理により，表示されたＷｅｂページには，当初はコメント内に記述されていた「ケータイに送信！」の文字が表示され，当初はコメントの外に記述されていたが削除された「拡張タグ対応のプラグインをダウンロードして下さい。」の文字は表示されない。
【００５３】
その後ユーザが入力装置によって「ケータイに送信！」の文字を選択すると，ブラウザ１２０は，入力部１０６を介して，選択された文字「ケータイに送信！」に対するリンク先として画面出力制御情報“Ａ  ＨＲＥＦ”で規定されている“ｆｅｌｉｃａ：＄ＦＥＬＩＣＡ＄”を取得する。ブラウザ１２０は，取得したリンク先が“ｆｅｌｉｃａ：”で始まるかを判別し，始まる場合には，“ｆｅｌｉｃａ：”以降に含まれる識別子“＄ＦＥＬＩＣＡ＄”と同じＩＤのタグを検索する。検索の結果，同じＩＤを持つタグは送信制御情報の一例である“ＰＵＳＨ”タグであるため，ブラウザ１２０は，“ＰＵＳＨ”タグで挟まれている送信対象情報“ｈｔｔｐ：／／ｗｗｗ．ｘｘｘ．ｃｏ．ｊｐ／”を，送信対象情報の種別を示す種別情報“ｕｒｌ”とともに，非接触型ＩＣチップ２０２に送信するようにリーダ／ライタ１１１に指示する。
【００５４】
以上，情報提供装置１０１の構成について説明した。次に，図３に基づいて，本実施形態にかかる携帯端末２０１の構成について説明する。
【００５５】
携帯端末は，非接触型ＩＣチップ２０２と，コントローラ２０４と，携帯電話回路２０６などを備える。携帯電話回路２０６は，携帯電話である携帯端末２０１が備える携帯電話機能に関する回路であり，本発明の主要部分ではないため説明を省略する。
【００５６】
非接触型ＩＣチップ２０２は，携帯端末２０１が備えるアンテナ（図示せず）から交流電圧を供給される。アンテナは，非接触型ＩＣチップ２０２とリーダ／ライタ１１１とが非接触式で通信を行う際に，リーダ／ライタ１１１から発生している磁界による誘導電圧を生じさることによって非接触型ＩＣチップ２０２を作動させるとともに，リーダ／ライタ１１１との間で無線でデータの送受信を行うためのものである。
【００５７】
非接触型ＩＣチップ２０２は，例えば，整流回路，電源発生部，復調機，変調機，受信機，送信機，ＣＰＵ，ＲＯＭ，ＲＡＭ，ＥＥＰＲＯＭ，暗号エンジン，ＲＮＧ，ＣＲＣなどを含んで構成される。
【００５８】
整流回路は，前述のアンテナから供給された交流電圧を整流し，電源発生部に供給する。電源発生部は，供給された電圧から非接触型ＩＣチップ２０２で使用する電源電圧を発生させる。復調機はアンテナを介してリーダ／ライタ１１１から受信した信号を非接触型ＩＣチップ２０２内で処理可能な電気信号に復調し，受信機に提供する。変調機は，非接触型ＩＣチップ２０２からアンテナを介してリーダ／ライタ１１１に送信する電気信号を，非接触式通信で送信できる信号に変調する。
【００５９】
ＣＰＵは中央演算処理装置であって，電源発生部によって非接触型ＩＣチップ２０２内に発生する電源電圧によって作動し，非接触型ＩＣチップ２０２の全体制御を行う。ＲＯＭは，不揮発性のメモリであって，各アプリケーションや，プラットフォームとなるオペレーションシステム（以後，ＯＳと称する。）などが格納される。
【００６０】
ＲＡＭは揮発性のメモリであって，ＯＳや各アプリケーションが一時的に使用するデータなどが格納される。ＥＥＰＲＯＭは，主にユーザデータの格納用等に使用されるが，アプリケーションやＯＳ等を格納してもよい。また，ＥＥＰＲＯＭの代わりにフラッシュメモリを使用することもできる。暗号エンジンは，外部装置との間で送受信されるデータの暗号化および復号化処理を行う。ＲＮＧは，暗号化の際の暗号鍵に使用する乱数を発生させる。ＣＲＣは，外部装置から受信したデータの巡回冗長検査，すなわちエラーチェックを行う。
【００６１】
非接触型ＩＣチップ２０２がリーダ／ライタ１１１から受信した送信対象情報は，非接触型ＩＣチップ２０２内のＲＡＭに格納される。非接触型ＩＣチップ２０２は，リーダ／ライタ１１１から送信対象情報を受信してＲＡＭに格納し，通信が終了すると，コントローラ２０４に通知する。
【００６２】
コントローラ２０４は，非接触型ＩＣチップ２０２から通知を受けて，非接触型ＩＣチップ２０２がリーダ／ライタ１１１から受信した送信対象情報を表示画面に表示する。コントローラ２０４は，送信対象情報をそのまま表示してもよいし，加工，編集をした後に表示してもよい。具体的には，例えば，送信対象情報がＵＲＬである場合には，コントローラ２０４はＵＲＬであることを送信対象情報を字句解析等をすることによって認識し，携帯端末２０１が備えるブラウザを起動してネットワーク１０３に接続し，ＵＲＬによって示されるＷｅｂサーバからＷｅｂページを取得して表示画面に表示してもよい。また，非接触型ＩＣカードが，送信対象情報の種別情報を受信し，送信対象情報と同様にＲＡＭに格納していれば，コントローラ２０４は字句解析を行わなくても種別情報を参照することによって，送信対象情報がＵＲＬであることを認識できる。
【００６３】
以上，携帯端末２０１の構成について説明した。次に，図４に基づいて，本実施形態にかかる情報提供システム１００における処理の流れについて説明する。なお，説明中に図６および図７に示した画面表示例を適宜参照する。
【００６４】
まず，ステップＳ１０２で，情報提供装置１０１がＷｅｂサーバ３０１にネットワークを介して接続し，任意のＷｅｂページを取得する（Ｓ１０２）。Ｗｅｂページを取得後，ステップＳ１０４で，情報提供装置１０１において送信制御情報を処理できない場合にはステップＳ１２０に進み通常のＷｅｂページが情報提供装置１０１の表示装置に表示される。送信制御情報を処理できない場合とは，具体的には，上述のプラグイン１２２が情報提供装置にインストールされていない場合で，その場合には図８の例によると送信制御情報や送信対象情報などがコメント内に記載された状態のままであるため，ブラウザ１２０は送信制御情報等を無視し，その他の画面出力制御情報に基づいてＷｅｂページを表示する（Ｓ１２０）。
【００６５】
一方，ステップＳ１０４で情報提供装置１０１が送信制御情報を処理できる場合，すなわち，上述のプラグイン１２２がインストールされている場合には，ブラウザ１２０によって図８で説明した送信制御情報等をコメントの外に出す処理が行われ，送信制御情報に対応するリンクがＷｅｂページに表示される（Ｓ１０６）。例えば，図６に示すように，Ｗｅｂページ５０２にリンク５０４が表示される。その後，ステップＳ１０８で，ユーザによって上記リンクが選択されると（Ｓ１０８），ブラウザ１２０は図８で説明したタグの解析処理を行い（Ｓ１１０），送信対象情報および種別情報をリーダ／ライタ１１１に提供し，非接触型ＩＣチップ２０２に送信するように指示をする（Ｓ１１２）。
【００６６】
ユーザによって携帯端末２０１がリーダ／ライタ１１１に翳され（Ｓ１１４），携帯端末２０１が備える非接触型ＩＣチップ２０２がリーダ／ライタ１１１と無線通信を行える範囲内に移動させられると，リーダ／ライタ１１１は無線通信により非接触式で携帯端末１１１が備える非接触型ＩＣチップ２０２に送信対象情報および種別情報を送信する。携帯端末２０１の非接触型ＩＣチップ２０２は，リーダ／ライタ１１１から送信された送信対象情報および種別情報を受信し（Ｓ１１６），携帯端末２０１のコントローラ２０４が表示画面に送信対象情報を表示する（Ｓ１１８）。例えば，図７に示すように，携帯端末２０１の表示画面５１０に，Ｗｅｂページに埋め込まれていた送信対象情報が表示される。
【００６７】
上記処理によって，ユーザは，ＰＣ等の情報提供装置１０１でＷｅｂページを閲覧し，Ｗｅｂページに表示されているリンクをクリックした後にリーダ／ライタ１１１に携帯端末２０１を翳すだけで，Ｗｅｂページに埋め込まれている情報を携帯端末２０１で取得できる。
【００６８】
以上，情報提供システム１００における処理の流れについて説明した。次に，図５に基づいて，情報提供装置１０１が備えるブラウザ１２０並びにリーダ／ライタ，および携帯端末２０１との間での情報の流れについて説明する。
【００６９】
まず，ステップＳ２０２で，情報提供装置１０１が備えるブラウザ１２０がＷｅｂページを読み込む（Ｓ２０２）。ブラウザ１２０は，読み込んだＷｅｂページに埋め込まれている送信制御情報（タグ）を解析し（Ｓ２０４），解析した送信制御情報に基づいて送信対象情報を抽出し，リーダ／ライタに送信対象情報を提供するとともに送信を指示する（Ｓ２０６）。リーダ／ライタは，ブラウザ１２０からの指示に基づいて送信対象情報の送信の準備を行う（Ｓ２０８）。具体的には例えば，非接触型ＩＣチップ２０２との間で無線通信により送受信するデータとして予め定められたフォーマットのデータ中に送信対象情報を埋め込む。また，例えばリーダ／ライタの一部を点滅させるなどして送信準備が整ったことをユーザに知らせ，携帯端末２０１をリーダ／ライタに翳すように促す。
【００７０】
携帯端末がリーダ／ライタとの無線通信可能な範囲内に移動させられると，携帯端末２０１内の非接触型ＩＣチップ２０２が，非接触型ＩＣチップ２０２の識別子など，無線通信に必要な情報をリーダ／ライタに送信する（Ｓ２１０）。リーダ／ライタは，無線通信を行う相手が識別子によって特定されると，その識別子によって特定される非接触型ＩＣチップ２０２にステップＳ２０８で準備済みのデータを送信する（Ｓ２１２）。このデータには少なくとも送信対象情報が含まれる。
【００７１】
携帯端末２０１内の非接触型ＩＣチップ２０２はステップＳ２１４でリーダ／ライタからデータを受信し，非接触型ＩＣチップ２０２内のＲＡＭにデータを格納する（Ｓ２１６）。その後，携帯端末２０１内のコントローラ２０４に非接触型ＩＣチップ２０２から無線通信の終了が通知され，コントローラ２０４によって携帯端末２０１の表示画面に送信対象情報が表示される（Ｓ２１８）。
【００７２】
以上，ブラウザ１２０並びにリーダ／ライタ，および携帯端末との間での情報の流れについて説明した。
【００７３】
（第２実施形態）
次に，本発明の第２実施形態にかかる情報提供システムについて説明する。本実施形態にかかる情報提供システムでは，第１実施形態と同様に，情報提供装置が，Ｗｅｂページに埋め込まれている送信制御情報に基づいて，同様にＷｅｂページに埋め込まれている送信対象情報を携帯端末に無線通信で送信する。送信対象情報を受信した携帯端末は，受信した情報を表示画面に表示する。第２実施形態にかかる携帯端末は，第１実施形態にかかる携帯端末２０１が表示する情報に加えて，表示する情報の内容に関連した画像を表示することができる点で，第１実施形態と異なる。以下に，第２実施形態にかかる情報提供システムについて，図９〜図１３を参照して説明する。
【００７４】
本実施形態にかかる情報提供システムの全体構成，および情報提供装置の構成は，第１実施形態にかかる情報提供システム１００，情報提供装置１０１とほぼ同様であるため，説明を省略する。
【００７５】
図９に基づいて，本実施形態にかかる携帯端末６０１の構成について説明する。携帯端末６０１は，例えば，非接触型ＩＣチップ２０２，コントローラ６０４，携帯電話回路２０６，判断部６０２，アイコン定義記憶部６０８，アイコン記憶部６０６などを備える。非接触型ＩＣチップ２０２，携帯電話回路２０６の構成および機能は，第１実施形態とほぼ同様であるため，説明を省略する。
【００７６】
コントローラ６０４は，非接触型ＩＣチップ２０２から通知を受けて，非接触型ＩＣチップ２０２がリーダ／ライタ１１１から受信した送信対象情報を表示画面に表示する点では，第１実施形態と同様である。コントローラ６０４は，非接触型ＩＣチップ２０２から送信対象情報を取得すると，その送信対象情報を判断部６０２に提供し，判断部６０２から送信対象情報の種別と，関連する画像と，表示する情報とを取得し，判断部６０２から取得した種別に基づいて，画像と情報とを表示画面に表示させる点で，第１実施形態と異なる。本実施形態では，送信対象情報の種別情報は，送信対象情報に含まれており，判断部６０２によって，種別が判断される。また，種別情報には，第１実施形態と同様に，送信対象情報がｕｒｌであるのか，テキスト情報であるのか等の，送信対象情報の形態の種別を特定する情報（以後，送信対象情報の形態の種別を特定する情報を，形態種別情報と称する。）が含まれる。さらに，本実施形態では，送信対象情報の内容の種別を特定する情報が，種別情報に含まれる。送信対象情報の内容とは，送信対象情報が表示画面に表示された場合，または音声出力された場合に，ユーザが得ることができる情報の内容である。例えば，飲食に関する内容，電車，飛行機等の交通手段に関する内容，娯楽に関する内容などを例示できる。送信対象情報の内容の種別を特定する情報（以後，送信対象情報の内容の種別を特定する情報を，内容種別情報と称する。）は，第１実施形態における送信対象情報および種別情報と同様に，Ｗｅｂサーバ３０１が保有しているＷｅｂページに埋め込まれている。コンテンツホルダは，ユーザが所有する携帯端末６０１に提供したい情報の内容に応じて，適切な種別を選択し，その種別に対応する内容種別情報をＷｅｂページに埋め込むことができる。
【００７７】
判断部６０２は，コントローラ６０４から送信対象情報を取得し，送信対象情報に含まれる種別情報に従って，送信対象情報の種別を判断する。判断部６０２は，判断した種別と，表示する情報と，画像とをコントローラに提供する。具体的には，判断部６０２は，送信対象情報に含まれる形態種別情報に基づいて，例えば，ｕｒｌであるのか，テキスト情報であるのか等の形態の種別を判断し，判断結果をコントローラ６０２に提供する。
【００７８】
また，判断部６０２は，送信対象情報に含まれる内容種別情報に従って，その内容に関連する画像をコントローラ６０４に提供する。本実施形態では，画像の一例として，アイコンを用いる。より詳細には，判断部６０２は，内容種別情報を送信対象情報から抽出し，抽出した内容種別情報と関連付けられているアイコンをアイコン記憶部６０６から取得する。内容種別情報とアイコンとの関連付けは，アイコン定義記憶部６０８によって行われる。
【００７９】
アイコン定義記憶部６０８は，画像定義記憶部の一例であり，内容種別情報とアイコンとを関連付けて記憶している。アイコン定義記憶部６０８は，携帯端末６０１が備えるＲＡＭ等のメモリを含んで構成される。アイコン定義記憶部６０８では，複数の内容種別情報と，アイコン記憶部６０６に記憶されている複数のアイコンのアドレスとが各々紐付けられている。その際，ひとつの内容種別情報に対して複数のアイコンが紐付けられていてもよいし，内容種別情報とアイコンとが１対１で紐付けられていてもよい。なお，内容種別情報とアイコンとの関連付けを，アイコン記憶部６０６で行っても構わない。その場合には，アイコン定義記憶部６０８は携帯端末６０１の構成に含まれない。
【００８０】
アイコン記憶部６０６は，画像記憶部の一例であり，アイコンを記憶している。アイコン記憶部６０６は，携帯端末６０１が備えるＲＡＭ等のメモリを含んで構成される。アイコン記憶部６０６に記憶されているアイコンの一例を図１０に示す。アイコン６０ａ〜６０ｅは，例えば，娯楽に関する内容が送信対象情報によって提供される場合に，携帯端末６０１の表示画面に表示される。娯楽に関する内容をさらに詳細に分けて，音楽に関する内容の場合にはアイコン６０ａ，スポーツに関する内容の場合には６０ａ，テレビ番組に関する内容の場合には６０ｅが表示されてもよい。アイコン６０ｆ〜６０ｉは，例えば，飲食に関する内容が送信対象情報によって提供される場合に，携帯端末６０１の表示画面に表示される。アイコン６０ｊ〜６０ｌは，例えば，交通手段に関する内容が送信対象情報によって提供される場合に，携帯端末６０１の表示画面に表示される。アイコン６０ｍ〜６０ｐは，例えば，買い物に関する内容が送信対象情報によって提供される場合に，携帯端末６０１の表示画面に表示される。
【００８１】
以上，携帯端末６０１の構成について説明した。次に，図１１に基づいて，判断部６０２が内容種別情報に基づいてアイコンを取得する処理の流れについて説明する。
【００８２】
まず，判断部６０２は送信対象情報をコントローラ６０４から取得する（Ｓ３０２）。送信対象情報を取得すると，判断部６０２は，送信対象情報に内容種別情報が含まれているか否かを判定する（Ｓ３０４）。この判定は，例えば，予め内容種別情報を識別する識別子を定めておき，判断部６０２は送信対象情報に所定の識別子が含まれているか否かを調べ，所定の識別子が含まれている場合に内容種別情報が送信対象情報に含まれていると判断し，所定の識別子が含まれていない場合に内容種別情報が送信対象情報に含まれていないと判断することにより，実現できる。
【００８３】
Ｓ３０４で，内容種別情報が含まれていると判定した場合には，判断部６０２は送信対象情報に含まれている内容種別情報に対応するアイコンのアドレスをアイコン定義記憶部６０８から取得する（Ｓ３０６）。
【００８４】
次に，判断部６０２は，アイコン定義記憶部６０８から取得したアイコンのアドレスに従って，アイコン記憶部６０６から該当するアイコンを取得する（Ｓ３０８）。続いて，判断部６０２は，Ｓ３０８で取得したアイコンをコントローラ６０４に提供する（Ｓ３１０）。判断部６０２から提供されたアイコンは，コントローラ６０４によって携帯端末６０１の表示画面に表示される。
【００８５】
なお，アイコン定義記憶部６０８で，ひとつの内容種別情報に対して複数のアイコンが紐付けられている場合には，判断部６０２は，送信対象情報に含まれる内容種別情報とアイコン定義記憶部６０８において紐付けられている複数のアイコン（例えば６０ａ〜６０ｅ）の中からランダムに一つのアイコンを選択してもよい。
【００８６】
以上，判断部６０２が内容種別情報に基づいてアイコンを取得する処理の流れについて説明した。次に，図１２に基づいて，携帯端末６０１の表示画面に送信対象情報が表示される際の表示例について説明する。
【００８７】
図１２に示したように，携帯端末６０１の表示画面７１０には，第１実施形態にかかる携帯端末２０１の表示画面５１０に表示された送信対象情報に該当する表示情報７０に加えて，送信対象情報に含まれる内容種別情報に基づくアイコン６０，送信対象情報に含まれる形態種別情報に基づくメッセージ８０が表示される。かかる表示により，携帯端末６０１のユーザは，情報提供装置１０１から無線通信で取得した情報がどのような内容であるのかを，実際に内容を閲覧する前に予測することができる。図示の例によれば，ユーザは，取得した情報が飲食に関する情報であることを認識（または推測）できる。
【００８８】
以上，携帯端末６０１の表示画面に送信対象情報が表示される際の表示例について説明した。次に，図１３に基づいて，Ｗｅｂページのデータ中に埋め込まれた送信対象情報の具体例について説明する。
【００８９】
図８で示した具体例と同様の部分については説明を省略し，図８と異なる＜ＰＵＳＨ＞〜＜／ＰＵＳＨ＞までの部分について，携帯端末６０１の動作と関連付けて説明する。図１３の例によれば，送信対象情報は「Ｕ  ｈｔｔｐ：／／ｗｗｗ．ｘｘｘ．ｃｏ．ｊｐ／  Ｃ  １０」である。本具体例では，上記送信対象情報に含まれるスペースが区切り文字，「Ｕ」が形態種別情報，「Ｃ」が内容種別情報の識別子，「１０」が内容種別情報である。この送信種別情報が情報提供装置１０１から携帯端末６０１に送信される。携帯端末６０１では，受信した送信対象情報が判断部６０２に提供される。判断部６０２は，送信対象情報を先頭から区切り文字ごとに読み込む。判断部６０２は，まず「Ｕ」を読み，ｕｒｌを示す形態種別情報であることを認識する。判断部６０２は，形態種別情報の次に読み込む情報を，画面に表示させる情報であると認識する。本例で判断部６０２は，「ｈｔｔｐ：／／ｗｗｗ．ｘｘｘ．ｃｏ．ｊｐ／」が，表示情報であり，その種別がｕｒｌであると認識する。次に，判断部６０２は，「Ｃ」を読み込み，内容種別情報が含まれていることを認識する。判断部６０２は，内容種別情報の識別子である「Ｃ」の次に読み込む情報を内容種別情報であると認識する。本例で判断部６０２は，「１０」を内容種別情報として認識し，「１０」と紐付けられているアイコンのアドレスをアイコン定義記憶部６０８から取得し，アドレスに基づいて該当するアイコンをアイコン記憶部６０６から取得する。
【００９０】
以上，第２実施形態にかかる情報提供システムについて説明した。第２実施形態にかかる情報提供システムによれば，携帯端末のユーザは，携帯端末に表示されるアイコンにより，無線通信で取得した情報の内容を簡単に知ることができる。情報提供者であるコンテンツホルダは，提供する情報に応じた適切な内容種別情報をＷｅｂページに埋め込むだけで，提供する内容に応じたアイコンをユーザの携帯端末に表示させることができ，よりユーザにとって便利で魅力的な状態で情報を提供することができる。
【００９１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９２】
例えば，コンテンツがデジタルテレビ放送に含まれるものであってデジタルテレビ放送向けのコンテンツ記述言語であるＢＭＬで記述されており，情報提供装置がデジタルテレビ放送を受信するテレビで，そのテレビに備えられておりＢＭＬで記述されたコンテンツを画面に表示するブラウザに本発明にかかるブラウザが適用され，ＢＭＬで記述された送信制御情報を解析して送信対象情報を携帯端末に送信してもよい。
【産業上の利用可能性】
【００９３】
本発明は，情報提供システム，情報提供装置に適用可能であり，特にＷｅｂページおよびブラウザを利用した情報提供システム，情報提供装置に適用可能である。
【図面の簡単な説明】
【００９４】
【図１】本発明の第１実施形態にかかる情報提供システムを示す説明図である。
【図２】同実施の形態における情報提供装置の構成を示すブロック図である。
【図３】同実施の形態における携帯端末の構成を示すブロック図である。
【図４】同実施の形態における情報提供システムの処理の流れを示すフローチャートである。
【図５】同実施の形態における情報提供装置と携帯端末との処理の流れを示すタイミングチャートである。
【図６】同実施の形態における情報提供装置が行うＷｅｂページの表示例である。
【図７】同実施の形態における携帯端末が行う送信対象情報の表示例である。
【図８】同実施の形態における送信制御情報の一例である。
【図９】本発明の第２実施形態における携帯端末の構成を示すブロック図である。
【図１０】同実施の形態におけるアイコンの一例である。
【図１１】同実施の形態における携帯端末の処理の流れを示すフローチャートである。
【図１２】同実施の形態における携帯端末が行うアイコン，送信対象情報の表示例である。
【図１３】同実施の形態における送信制御情報の一例である。
【符号の説明】
【００９５】
１００      情報提供システム
１０１      情報提供装置
１０３      ネットワーク
１１１      リーダ／ライタ
１２０      ブラウザ
２０１，６０１      携帯端末
２０２      非接触型ＩＣチップ
２０４，６０４      コントローラ
３０１      Ｗｅｂサーバ
６０２      判断部
６０６      アイコン記憶部
６０８      アイコン定義記憶部
【図１】
2006085669.tif 000003
【図２】
2006085669.tif 000004
【図３】
2006085669.tif 000005
【図４】
2006085669.tif 000006
【図５】
2006085669.tif 000007
【図６】
2006085669.tif 000008
【図７】
2006085669.tif 000009
【図８】
2006085669.tif 000010
【図９】
2006085669.tif 000011
【図１０】
2006085669.tif 000012
【図１１】
2006085669.tif 000013
【図１２】
2006085669.tif 000014
【図１３】
2006085669.tif 000015